(57)【要約】【課題】  ユニット室を無駄な空きスペースが生じないように有効利用することができ、また、制御盤が必要以上に大きくなることによって輸送費や工事費などの施工コストが高くなることと、制御盤の設置スペースが大きくなることを防止すること。【解決手段】  制御盤内を水平な仕切り板で仕切って形成された収納スペースに、仕切り板に対して垂直となる縦置き状態に複数収納可能な箱型を成し、この箱型の本体フレーム４１内に電気機器が回路化されて組み込まれる制御盤用ユニット３４において、本体フレーム４１における正面の開口部分を閉塞又は開口状態とする扉４２と、本体フレーム４１の正面側又は後面側にスライド可能なように本体フレーム４１にレールガイド４４及びスロット穴４１ｃに組み込まれたスライドレール４３と、スライドレール４３の正面側端部に、扉４２の一辺を回動軸として当該扉４２を回動自在に取り付けたヒンジ４５とを備える。【選択図】      図２
2006025492.tif 000002
【特許請求の範囲】
【請求項１】
制御盤内を水平な仕切り板で仕切って形成された収納スペースに、前記仕切り板に対して垂直となる縦置き状態に複数収納可能な箱型を成し、この箱型の本体フレーム内に電気機器が回路化されて組み込まれる制御盤用ユニットにおいて、
前記本体フレームにおける前記制御盤の正面と一致する正面の開口部分を、閉塞及び開口の何れかの状態とする扉と、
前記本体フレームの正面側及び後面側の何れかの方向にスライド可能なように当該本体フレームに組み込まれたスライド手段と、
前記スライド手段の正面側端部に、前記扉の一辺を回動軸として当該扉を回動自在に取り付けた扉取付手段と
を備えたことを特徴とする制御盤用ユニット。
【請求項２】
前記扉のスライド時に、同じ収納スペースに収納された隣接制御盤用ユニットに当たることの無い位置で、当該扉を回動可能とする扉回動規制手段
を更に備えたことを特徴とする請求項１に記載の制御盤用ユニット。
【請求項３】
請求項１または２に記載の制御盤用ユニットを、複数隣接して収納した
ことを特徴とする制御盤。
【発明の詳細な説明】
【技術分野】
【０００１】
本発明は、低圧電動機の始動回路等の電気回路を収容する制御盤用ユニット及び制御盤に関し、特にコントロールセンタなどに用いられる制御盤に複数台収納される制御盤用ユニット及び制御盤に関する。
【背景技術】
【０００２】
図３は、従来の制御盤用ユニットが複数収納されて成る制御盤の構成を示す斜視図である。
この図３に示す制御盤１は、例えば工場などの水平な床面に設置され、その床面に対して垂直な高さ方向（以下、垂直方向又は縦方向とも称す）に長い直方体形状のキャビネットフレーム１０で外観を成している。
【０００３】
キャビネットフレーム１０の最上部には、直方体の室形状を成す母線室１１が設けられ、その母線室１１の下方には、垂直方向に沿って各々独立した直方体の室形状を成す８つのユニット室１２及びこのユニット室１２の扉１３が設けられている。
各ユニット室１２は、キャビネットフレーム１０に垂直方向に沿って一定間隔で水平に配設された仕切り板１４によって形成されている。その仕切り板１４の上に、概略直方体形状を成す制御盤用ユニット（以下、ユニットとも称す）１５を載置してユニット室１２に収納するようになっている。
【０００４】
ユニット１５は、図４に示す制御盤１における一つのユニット室１２の平面図に示すように、遮断器１６や電磁接触器１７を備えた機器用回路が組み込まれており、ユニット室１２に出し入れ自在となっている。
また、ユニット１５を出し入れする際に開閉する扉１３は、キャビネットフレーム１０にヒンジ１８などにより水平方向（又は横方向とも称す）に自在に可動可能なように取り付けられている。更に、扉１３には、当該扉１３を閉じた際に、電磁接触器１７をオン／オフ操作するハンドル１６ａを制御盤１の正面から操作可能に露出させるための貫通穴が形成されている。
【０００５】
また、ユニット１５は、ユニット室１２に適正に収納された際に、制御盤１内の後側において母線室１１から垂直方向に配設された電源供給用の３相分の母線１９に電気的に接続されるようになっている。
この種の従来の装置として、例えば特許文献に記載のものがある。
【特許文献１】特開平６−１６９５０７号公報
【発明の開示】
【発明が解決しようとする課題】
【０００６】
しかし、従来の制御盤用ユニット及び制御盤においては、各ユニット室１２に直方体形状のユニット１５を収納する場合、ユニット１５の長手辺が水平となる横置き状態に収納することによって一つのユニット室１２に一つのユニット１５を収納することを前提としているので、図５に示すように、ユニット１５の長手方向（水平方向）のサイズＬ１が、ユニット室１２の横幅（水平方向の幅）Ｌ２よりも短い場合、ユニット室１２に空きスペース１２ａが生じてしまい、ユニット室１２を有効利用することができないという問題がある。
【０００７】
また、空きスペース１２ａが生じるほどに無駄なスペースが増加することになるので、制御盤１が必要以上に大きくなる。このように制御盤１が大きくなると、輸送費や工事費などの施工コストが高くなると共に、制御盤１の設置スペースが大きくなるという問題がある。
本発明は、このような課題に鑑みてなされたものであり、ユニット室を無駄な空きスペースが生じないように有効利用することができ、また、制御盤が必要以上に大きくなることによって輸送費や工事費などの施工コストが高くなることと、制御盤の設置スペースが大きくなることを防止することができる制御盤用ユニット及び制御盤を提供することを目的としている。
【課題を解決するための手段】
【０００８】
上記目的を達成するために、本発明の請求項１による制御盤用ユニットは、制御盤内を水平な仕切り板で仕切って形成された収納スペースに、前記仕切り板に対して垂直となる縦置き状態に複数収納可能な箱型を成し、この箱型の本体フレーム内に電気機器が回路化されて組み込まれる制御盤用ユニットにおいて、前記本体フレームにおける前記制御盤の正面と一致する正面の開口部分を、閉塞及び開口の何れかの状態とする扉と、前記本体フレームの正面側及び後面側の何れかの方向にスライド可能なように当該本体フレームに組み込まれたスライド手段と、前記スライド手段の正面側端部に、前記扉の一辺を回動軸として当該扉を回動自在に取り付けた扉取付手段とを備えたことを特徴とする。
この構成によれば、個々の制御盤用ユニットにおいて、扉を正面方向にスライドさせ、当該扉が隣接制御盤用ユニットに突き当たらない位置まで引き出して当該扉を開けることができる。
【０００９】
また、本発明の請求項２による制御盤用ユニットは、請求項１において、前記扉のスライド時に、同じ収納スペースに収納された隣接制御盤用ユニットに当たることの無い位置で、当該扉を回動可能とする扉回動規制手段を更に備えたことを特徴とする。
この構成によれば、扉回動規制手段によって扉を開ける際に、隣接制御盤用ユニットに当該扉を当てることがないように保護することができる。
【００１０】
また、本発明の請求項３による制御盤は、請求項１または２に記載の制御盤用ユニットを、複数隣接して収納したことを特徴とする。
この構成によれば、制御盤内に殆ど空きスペースが生じることなく複数の制御盤用ユニットを収納することが可能となる。従って、制御盤内の収納スペースを有効利用することができる。これによって、従来のように無駄なスペースが生じることが無いので、制御盤が必要以上に大きくなることを防止することができ、制御盤が必要以上に大きくなることによる輸送費や工事費などの施工コストの高騰、制御盤の設置スペースの拡大化を防止することができる。
【発明の効果】
【００１１】
以上説明したように本発明によれば、ユニット室を無駄な空きスペースが生じないように有効利用することができ、また、制御盤が必要以上に大きくなることによって輸送費や工事費などの施工コストが高くなることと、制御盤の設置スペースが大きくなることを防止することができるという効果がある。
【発明を実施するための最良の形態】
【００１２】
以下、本発明の実施の形態を、図面を参照して説明する。但し、本明細書中の全図において相互に対応する部分には同一符号を付し、重複部分においては後述での説明を省略する。
（実施の形態）
図１は、本発明の実施の形態に係る制御盤用ユニットが複数収納されて成る制御盤の構成を示す正面図である。
この図１に示す本実施の形態の制御盤３０の特徴は、母線室１１の下方に、所定間隔で水平に４枚配置された仕切り板３２の間に形成される直方体形状の４つのユニット室３３の各々に、直方体形状で縦置き型の制御盤用ユニット３４を、縦に５つ収納して構成した点にある。
更に、本実施の形態の特徴要素である制御盤用ユニット３４を、図２を参照して説明する。ユニット３４は、図４に示したユニット１５と同様に遮断器１６や電磁接触器１７を備えた機器用回路が組み込まれており、ユニット室３３に出し入れ自在となっている。
【００１３】
また、ユニット３４の本体フレーム４１は、正面が開口した縦に長い直方体の箱型を成し、当該本体フレーム４１に、正面の開口を閉塞又は開口状態とするための扉４２が次のように取り付けられている。
本体フレーム４１の左側板４１ａの正面側端部は、正面に細長い面が対向するようにＬ字型に折り曲げられており、この折り曲げ部４１ｂの上下に所定間隔離して縦長の貫通したスロット穴４１ｃが形成されると共に、その上下のスロット穴４１ｃの中間位置に当該スロット穴４１ｃよりも小さい中間スロット穴４１ｄが形成されている。
【００１４】
上下のスロット穴４１ｃには、細長い板状のスライドレール４３が挿通されている。スライドレール４３は、当該レール長手方向に細長く貫通したスライド穴４３ａが形成されており、このスライド穴４３ａに、左側板４１ａに固定されたピン状のレールガイド４４が挿通されている。つまり、スライドレール４３がレールガイド４４とスライド穴４３ａとの組合せで規制されながらスライド穴４３ａを通って正面又は後面方向に自在に移動できる構造と成されている。
【００１５】
また、各スライドレール４３の正面側の先端部は、Ｌ字型に折り曲げられており、この折り曲げ部分に取り付けられたヒンジ４５に、扉４２が横方向に自在に可動可能なように取り付けられている。
また、扉４２の上下のスライドレール４３への取り付け部分の中間位置には、スライドレール４３と平行に回転防止レール４６が固定されている。この回転防止レール４６は、扉４２を後ろ側にスライドさせた際に、中間スロット穴４１ｄに挿通され、この挿通状態にあって扉４２を開閉動作できないようにするためのものである。また、回転防止レール４６は、扉４２が隣接ユニットの扉に突き当たらない位置まで引き出された際に、中間スロット穴４１ｄから抜ける長さとなっている。
【００１６】
更に、扉４２の正面には、ユニット３４に組み込まれる機器用回路の表示機器４７や、遮断器操作部４８が配設されている。
このような構成の制御盤用ユニット３４を制御盤３０に収納する場合、作業者は、ユニット３４の扉４２を図２に破線で示すように閉じた状態で、制御盤３０の各ユニット室３３に縦置きに５個ずつ収納する。この収納状態では、ユニット室３３において各ユニット３４が隣接しているので、例え回転防止レール４６が無かったとしても、扉４２を開ける際に隣接ユニットの扉に突き当たるので扉４２を開けることはできない。
【００１７】
しかし、本実施の形態の構造では、扉４２を正面方向にスライドさせ、当該扉４２が隣接ユニットの扉に突き当たらない位置まで引き出して当該扉４２を開けることができる。この際の動作は、ユニット室３３にユニット３４が５つ収納された状態で、所望のユニット３４の扉４２が正面側に引き出されると、上下のスライドレール４３がレールガイド４４とスライド穴４３ａとの組合せで規制されながらスライド穴４３ａを通って正面方向に移動する。これと同時に回転防止レール４６も中間スロット穴４１ｄを通る。
【００１８】
この回転防止レール４６が中間スロット穴４１ｄを通っている状態では、回転防止レール４６が扉４２に固定されているので、扉４２を開閉動作させることができない。
その後、回転防止レール４６が中間スロット穴４１ｄを抜けると、扉４２は、回転防止レール４６による規制が無くなり、また、隣接ユニットの正面位置よりも充分に離れた前面位置に有るので、自在に開閉させることができる。つまり、作業者は、その状態で扉４２を開ける。扉４２を閉じる場合は、逆の動作によって扉４２を閉じて後側に突き当たるまでスライドさせれば扉４２が完全に閉じる。
【００１９】
このように、本実施の形態の制御盤用ユニット３４によれば、本体フレーム４１に、所定長引き出した後に開くことが可能な扉４２を取り付けた。即ち、本体フレーム４１における制御盤３０の正面と一致する正面の開口部分を、閉塞及び開口の何れかの状態とする扉４２と、本体フレーム４１の正面側及び後面側の何れかの方向にスライド可能なように当該本体フレーム４１にレールガイド４４及びスロット穴４１ｃに組み込まれたスライド手段であるスライドレール４３と、スライドレール４３の正面側端部に、扉４２の一辺を回動軸として当該扉４２を回動自在に取り付けた扉取付手段であるヒンジ４５とを備えて構成した。
これによって、個々の制御盤用ユニット３４において、扉４２を正面方向にスライドさせ、当該扉４２が隣接ユニットの扉に突き当たらない位置まで引き出して当該扉４２を開けることができる。
【００２０】
更に、扉４２のスライド時に、同じ収納スペースであるユニット室３３に収納された隣接制御盤用ユニットに当たることの無い位置で、中間スロット穴４１ｄから抜けることに応じてよって、当該扉４２を回動可能とする扉回動規制手段である回転防止レール４６をを備えた。
これによって、回転防止レール４６が中間スロット穴４１ｄを通っている状態では、回転防止レール４６が扉４２に固定されているので、扉４２を開閉動作させることができない。従って、扉４２を開ける際に隣接制御盤用ユニットに扉４２を当てることがないように保護することができる。
【００２１】
また、このような構成の制御盤用ユニット３４を、制御盤３０のユニット室３３に複数隣接して収納すれば、ユニット室３３内に殆ど空きスペースが生じることなく複数のユニット３４を収納することが可能となる。従って、ユニット室３３を有効利用することができる。
これによって、従来のように無駄なスペースが生じることが無いので、制御盤３０が必要以上に大きくなることを防止することができ、制御盤３０が必要以上に大きくなることによる輸送費や工事費などの施工コストの高騰、制御盤３０の設置スペースの拡大化を防止することができる。
【図面の簡単な説明】
【００２２】
【図１】本発明の実施の形態に係る制御盤用ユニットが複数収納されて成る制御盤の構成を示す正面図である。
【図２】上記実施の形態に係る制御盤用ユニットの構成を示す特徴部分の斜視図である。
【図３】従来の制御盤用ユニットが複数収納されて成る制御盤の構成を示す斜視図である。
【図４】従来の制御盤のユニット室に収納されたユニットの平面図である。
【図５】従来の制御盤のユニット室にサイズの小さいユニットを収納した状態を示す図である。
【符号の説明】
【００２３】
１１  固定網
３０  制御盤
３２  仕切り板
３３  ユニット室
３４  制御盤用ユニット
４１  本体フレーム
４１ａ  左側板
４１ｂ  折り曲げ部
４１ｃ  スロット穴
４１ｄ  中間スロット穴
４２  扉
４３  スライドレール
４３ａ  スライド穴
４５  ヒンジ
４６  回転防止レール
４７  表示機器
４８  遮断器操作部
【図１】
2006025492.tif 000003
【図２】
2006025492.tif 000004
【図３】
2006025492.tif 000005
【図４】
2006025492.tif 000006
【図５】
2006025492.tif 000007